(57)【要約】【課題】右映像用ケーブルに断線が生じた場合でも、右用映像を表示し続けることが可能な「マルチ視野表示システムおよびその表示制御方法」を提供する。【解決手段】右映像用ケーブル７０の断線がディスプレイマイコン５６により検出された場合、断線するまで映像データ選択部４４が右映像用ケーブル７０に出力していたナビゲーション映像データを左映像用ケーブル６０に出力するよう切り替えるとともに、左映像用ケーブル６０を介してデュアルビューディスプレイ５０に供給されたナビゲーション映像データを左用画素群５４および右用画素群５５の双方に出力するよう映像出力先選択部５３が映像データの出力先を切り替えることにより、右映像用ケーブル７０に断線が生じた場合であっても、それまでと違う経路でナビゲーション映像データをデュアルビューディスプレイ５０に供給して表示し続けることができるようにする。【選択図】図１
2010204147.tif 000002
【特許請求の範囲】
【請求項１】
交互に配置された左用画素群と右用画素群とに対してそれぞれ左用映像データと右用映像データとを出力することにより、１つの表示画面において左観察位置からは左用映像を見ることができるとともに右観察位置からは右用映像を見ることができるように成された表示装置と、上記左用映像および上記右用映像として表示対象とする上記左用映像データおよび上記右用映像データを選択して上記表示装置に供給する制御装置とを備え、上記表示装置と上記制御装置との間を左映像用ケーブルおよび右映像用ケーブルで接続して成るマルチ視野表示システムであって、
上記制御装置内において上記左映像用ケーブルおよび上記右映像用ケーブルに出力する上記左用映像データおよび上記右用映像データをそれぞれ選択する映像データ選択部と、
上記表示装置内において上記左用映像データおよび上記右用映像データの出力先として上記左用画素群および上記右用画素群を選択する映像出力先選択部と、
上記左映像用ケーブルおよび上記右映像用ケーブルの断線を検出する断線検出部と、
上記断線検出部により上記左映像用ケーブルまたは上記右映像用ケーブルの何れか一方について断線が検出された場合、当該断線が検出されたケーブルである断線ケーブルに出力していた映像データを、当該断線が検出されていないケーブルである非断線ケーブルを介して上記制御装置から上記表示装置に供給し、当該供給した映像データを上記左用画素群および上記右用画素群に出力するように上記映像データ選択部および上記映像出力先選択部を制御する制御部とを備えたことを特徴とするマルチ視野表示システム。
【請求項２】
上記断線検出部により上記左映像用ケーブルまたは上記右映像用ケーブルの何れか一方について断線が検出された場合、上記映像データ選択部は上記制御部の制御に従い、上記断線ケーブルに出力していた映像データを上記非断線ケーブルに出力するように切り替え、上記映像出力先選択部は上記制御部の制御に従い、上記制御装置から上記非断線ケーブルを介して供給される映像データを上記左用画素群および上記右用画素群の双方に出力するように切り替えることを特徴とする請求項１に記載のマルチ視野表示システム。
【請求項３】
交互に配置された左用画素群と右用画素群とに対してそれぞれ左用映像データと右用映像データとを出力することにより、１つの表示画面において左観察位置からは左用映像を見ることができるとともに右観察位置からは右用映像を見ることができるように成された表示装置と、上記左用映像および上記右用映像として表示対象とする上記左用映像データおよび上記右用映像データを選択して上記表示装置に供給する制御装置とを備え、上記表示装置と上記制御装置との間を左映像用ケーブルおよび右映像用ケーブルで接続して成るマルチ視野表示システムにおける表示制御方法であって、
上記左映像用ケーブルおよび上記右映像用ケーブルの断線を検出する第１のステップと、
上記第１のステップで上記左映像用ケーブルまたは上記右映像用ケーブルの何れか一方について断線が検出された場合、上記制御装置において、当該断線が検出されたケーブルである断線ケーブルに出力していた映像データを、当該断線が検出されていないケーブルである非断線ケーブルに出力するように切り替える第２のステップと、
上記表示装置において、上記第２のステップでの切り替えによって上記制御装置から上記非断線ケーブルを介して供給される映像データを上記左用画素群および上記右用画素群の双方に出力するように切り替える第３のステップとを有することを特徴とする表示制御方法。
【発明の詳細な説明】
【技術分野】
【０００１】
本発明は、マルチ視野表示システムおよびその表示制御方法に関し、特に、１つの表示画面において観察する方向により異なる映像を見ることができるように成されたデュアルビューディスプレイを用いたシステムに関するものである。
【背景技術】
【０００２】
従来、１つの表示画面において観察する方向により異なる映像を見ることができるように成された、いわゆるデュアルビューディスプレイが提供されている（例えば、特許文献１参照）。例えば、視差バリアを用いたデュアルビューディスプレイは、図３に示すように、スイッチ液晶１０１とＴＦＴ（Thin Film Transistor）液晶１０２との組み合わせにより構成されている。
【０００３】
スイッチ液晶１０１には、光学的な視差バリア１０３が等しい間隔を空けて複数設けられている。視差バリア１０３は、バックライトからの光の進行方向を制御し、左右の観察位置１０６，１０７に異なる光が届くように光を分離している。また、ＴＦＴ液晶１０２では、交互に配置された左用画素群１０４と右用画素群１０５とにそれぞれ左用画像と右用画像とを交互に表示している。
【０００４】
視差バリア１０３を通過して左用画素群１０４を通った光は左の観察位置１０６に届き、視差バリア１０３を通過して右用画素群１０５を通った光は右の観察位置１０７に届く。これにより、１つのＴＦＴ液晶１０２の表示画面上において、観察する方向により異なる映像を見ることができる。例えば、デュアルビューディスプレイをカーナビゲーションシステムの車載用表示装置として用いた場合、運転者側（右の観察位置１０７）にはナビゲーション映像を表示し、運転者以外の同乗者側（左の観察位置１０６）にはテレビ映像やＤＶＤ（Digital Versatile Disk）映像などを表示することが可能となる。
【０００５】
この種のデュアルビューディスプレイを用いた車載用のマルチ視野表示システムは、例えば、図４に示すように、ナビゲーション映像を発生するナビゲーションユニット２０１、ＤＶＤ映像を発生するＤＶＤユニット２０２、テレビ映像を発生するＴＶユニット２０３、表示対象とする映像選択に関する制御を行うメインユニット２０４およびデュアルビューディスプレイ２０５を備えて構成される。メインユニット２０４とデュアルビューディスプレイ２０５との間は、左映像用ケーブル２０６および右映像用ケーブル２０７で接続されている。
【０００６】
ナビゲーションユニット２０１は、自立航法センサやＧＰＳ受信機などを用いて車両の現在位置を検出し、自車位置近傍の地図データを記録媒体から読み出して画面上に表示するものである。このナビゲーションユニット２０１からはナビゲーション映像データが出力される。ＤＶＤユニット２０２は、ＤＶＤに記録されている映像データを再生して出力するものである。このＤＶＤユニット２０２からはＤＶＤ映像データが出力される。ＴＶユニット２０３は、テレビ放送の電波を受信して処理するものである。このＴＶユニット２０３からはテレビ映像データが出力される。
【０００７】
メインユニット２０４は、ナビゲーションユニット２０１から出力されるナビゲーション映像データ、ＤＶＤユニット２０２から出力されるＤＶＤ映像データ、ＴＶユニット２０３から出力されるテレビ映像データを入力し、これらの中から何れか２つを選択して左映像用ケーブル２０６および右映像用ケーブル２０７に出力する。例えば、メインユニット２０４は、ＤＶＤユニット２０２からのＤＶＤ映像データまたはＴＶユニット２０３からのテレビ映像データを選択して左映像用ケーブル２０６に出力する一方、ナビゲーションユニット２０１からのナビゲーション映像データを選択して右映像用ケーブル２０７に出力する。
【０００８】
デュアルビューディスプレイ２０５は、図３のような構造を有し、メインユニット２０４から左映像用ケーブル２０６および右映像用ケーブル２０７を介して出力された映像データに基づいて、映像を表示する。具体的には、メインユニット２０４から左映像用ケーブル２０６を介して送られてきたＤＶＤ映像データまたはテレビ映像データを左用画素群１０４に出力する一方、右映像用ケーブル２０７を介して送られてきたナビゲーション映像データを右用画素群１０５に出力する。これにより、運転者側にナビゲーション映像が表示され、同乗者側にＤＶＤ映像またはテレビ映像が表示される。
【先行技術文献】
【特許文献】
【０００９】
【特許文献１】特開２００５−１８０７３号公報
【発明の概要】
【発明が解決しようとする課題】
【００１０】
しかしながら、上記従来の技術では、ケーブルの断線（コネクタの接続不良）などによって左映像用ケーブル２０６または右映像用ケーブル２０７の一方からデュアルビューディスプレイ２０５に対する映像データの入力が途切れると、左用画素群１０４または右用画素群１０５の一方に対する映像データの入力がなくなってしまう。そのため、映像データの入力がなくなった方の観察位置側に映像が表示されなくなってしまうという問題があった。例えば、走行中で運転席側にナビゲーション映像が表示されているときに、右映像用ケーブル２０７に断線が生じると、ナビゲーション映像が表示されなくなり、運転席側の画面が真っ黒になってしまう。
【００１１】
本発明は、このような問題を解決するために成されたものであり、左映像用ケーブルまたは右映像用ケーブルに断線などが生じた場合でも、断線等が生じた側の観察位置向けにケーブル断線前と同じ映像を表示し続けることができるようにすることを目的とする。
【課題を解決するための手段】
【００１２】
上記した課題を解決するために、本発明では、映像データの選択を行う制御装置と、選択された映像データの表示を行う表示装置との間を接続する左映像用ケーブルまたは右映像用ケーブルの何れか一方について断線が検出された場合、断線ケーブルに出力していた映像データを非断線ケーブルに出力するよう切り替えて当該映像データを制御装置から表示装置に供給し、表示装置に供給した映像データを左用画素群および右用画素群の双方に出力するよう映像データの出力先も切り替える。
【発明の効果】
【００１３】
上記のように構成した本発明によれば、左映像用ケーブルまたは右映像用ケーブルの何れか一方に断線が生じた場合であっても、それまで断線ケーブルを介して制御装置から表示装置に供給されていた映像データは、新たに非断線ケーブルを介して制御装置から表示装置に供給される。そして、それまで断線ケーブルからの映像データの出力先に選択されていた画素群に対しても、非断線ケーブルを介して供給された映像データが新たに出力されるようになる。これにより、ケーブルに断線が生じた側の観察位置向けにケーブル断線前と同じ映像を表示し続けることができる。
【図面の簡単な説明】
【００１４】
【図１】本実施形態によるマルチ視野表示システムの構成例を示す図である。
【図２】本実施形態によるマルチ視野表示システムの動作例を示すフローチャートである。
【図３】デュアルビューディスプレイの原理を示す図である。
【図４】従来のマルチ視野表示システムの構成例を示す図である。
【発明を実施するための形態】
【００１５】
以下、本発明の一実施形態を図面に基づいて説明する。図１は、本実施形態によるマルチ視野表示システムの構成例を示す図である。本実施形態のマルチ視野表示システムは、車両に搭載される。ここでは一例として、前座席の右側が運転席、前座席の左側が助手席であるものとする。
【００１６】
図１に示すように、本実施形態のマルチ視野表示システムは、ナビゲーション映像を発生するナビゲーションユニット１０、ＤＶＤ映像を発生するＤＶＤユニット２０、テレビ映像を発生するＴＶユニット３０、表示対象とする映像選択に関する制御を行うメインユニット４０およびデュアルビューディスプレイ５０を備えて構成される。
【００１７】
メインユニット４０とデュアルビューディスプレイ５０との間は、左映像用ケーブル６０、右映像用ケーブル７０および制御信号用バス８０で接続されている。左映像用ケーブル６０および右映像用ケーブル７０は、例えばＬＶＤＳ（Low Voltage Differential Signaling）ケーブルで構成される。制御信号用バス８０は、例えばＬＩＮ（Local Interconnect Network）バスで構成される。
【００１８】
ナビゲーションユニット１０は、自立航法センサやＧＰＳ受信機などを用いて車両の現在位置を検出し、自車位置近傍の地図データを記録媒体から読み出して画面上に表示するものである。このナビゲーションユニット１０からはナビゲーション映像データが出力される。ＤＶＤユニット２０は、ＤＶＤに記録されている映像データを再生して出力するものである。このＤＶＤユニット２０からはＤＶＤ映像データが出力される。ＴＶユニット３０は、テレビ放送の電波を受信して処理するものである。このＴＶユニット３０からはテレビ映像データが出力される。
【００１９】
メインユニット４０は、ナビゲーションユニット１０から出力されるナビゲーション映像データ、ＤＶＤユニット２０から出力されるＤＶＤ映像データ、ＴＶユニット３０から出力されるテレビ映像データを入力し、これらの中から何れか２つを選択して左映像用ケーブル６０および右映像用ケーブル７０にそれぞれ出力する。すなわち、メインユニット４０は、ナビゲーション映像データ、ＤＶＤ映像データ、テレビ映像データの中から、左用映像および右用映像として表示対象とする左用映像データおよび右用映像データを選択し、それぞれを左映像用ケーブル６０および右映像用ケーブル７０を介してデュアルビューディスプレイ５０に供給する。このメインユニット４０は、本発明の制御装置に相当する。
【００２０】
なお、以下では説明を分かりやすくするため、ナビゲーション映像データが右用映像データであり、ＤＶＤ映像データまたはテレビ映像データが左用映像データであるものとして説明する。ただし、実際は、ナビゲーション映像データ、ＤＶＤ映像データ、テレビ映像データの中から任意の１つを左用映像データとして選択し、同じく任意の１つを右用映像データとして選択可能である。
【００２１】
デュアルビューディスプレイ５０は、図３のような構造を有し、メインユニット４０から左映像用ケーブル６０および右映像用ケーブル７０を介して供給された左用映像データおよび右用映像データに基づいて、１つの表示画面に左用映像および右用映像を表示する。このデュアルビューディスプレイ５０は、本発明の表示装置に相当する。
【００２２】
メインユニット４０は、ナビゲーション映像データ入力部４１、ＤＶＤ映像データ入力部４２、ＴＶ映像データ入力部４３、映像データ選択部４４、左映像用コネクタ４５、右映像用コネクタ４６、メインユニットマイコン４７および制御信号用コネクタ４８を備えている。
【００２３】
ナビゲーション映像データ入力部４１は、ナビゲーションユニット１０から出力されるナビゲーション映像データを入力する。ＤＶＤ映像データ入力部４２は、ＤＶＤユニット２０から出力されるＤＶＤ映像データを入力する。ＴＶ映像データ入力部４３は、ＴＶユニット３０から出力されるテレビ映像データを入力する。
【００２４】
映像データ選択部４４は、ナビゲーション映像データ、ＤＶＤ映像データおよびテレビ映像データの中から、左映像用コネクタ４５を介して左映像用ケーブル６０に出力する左用映像データと、右映像用コネクタ４６を介して右映像用ケーブル７０に出力する右用映像データとをそれぞれ選択する。左映像用コネクタ４５は、左映像用ケーブル６０と接続するためのコネクタである。右映像用コネクタ４６は、右映像用ケーブル７０と接続するためのコネクタである。メインユニットマイコン４７は、映像データ選択部４４による映像データの選択状態を制御する。制御信号用コネクタ４８は、制御信号用バス８０と接続するためのコネクタである。
【００２５】
デュアルビューディスプレイ５０は、左映像用コネクタ５１、右映像用コネクタ５２、映像出力先選択部５３、左用画素群５４、右用画素群５５、ディスプレイマイコン５６および制御信号用コネクタ５７を備えている。左映像用コネクタ５１は、左映像用ケーブル６０と接続するためのコネクタである。右映像用コネクタ５２は、右映像用ケーブル７０と接続するためのコネクタである。制御信号用コネクタ５７は、制御信号用バス８０と接続するためのコネクタである。
【００２６】
映像出力先選択部５３は、左映像用コネクタ５１を介して入力される左用映像データおよび右映像用コネクタ５２を介して入力される右用映像データの出力先として、左用画素群５４および右用画素群５５を選択する。デュアルビューディスプレイ５０は、交互に配置された左用画素群５４と右用画素群５５とに対してそれぞれ左用映像データと右用映像データとを入力することにより、１つの表示画面において左観察位置からは左用映像を見ることができるとともに、右観察位置からは右用映像を見ることができるように成されている。
【００２７】
ディスプレイマイコン５６は、映像出力先選択部５３による映像出力先の選択状態を制御する。また、ディスプレイマイコン５６は、左映像用ケーブル６０および右映像用ケーブル７０の断線を検出する。具体的には、ディスプレイマイコン５６は、左映像用ケーブル６０が左映像用コネクタ５１から外れたこと、または右映像用ケーブル７０が右映像用コネクタ５２から外れたことを検出する。このように、ディスプレイマイコン５６は本発明の断線検出部を構成する。
【００２８】
左映像用コネクタ５１および右映像用コネクタ５２には、接続検出端子（図示せず）が設けられている。これらのコネクタ５１，５２にケーブル６０，７０が接続されていると、接続検出端子からはＨｉの信号が出力される。一方、コネクタ５１，５２からケーブル６０，７０が外れていると、接続検出端子からはＬｏの信号が出力される。
【００２９】
ディスプレイマイコン５６は、接続検出端子から出力される信号がＨｉからＬｏになったことを検出したときに、ケーブル６０，７０がコネクタ５１，５２から外れたと判断する。例えば、ディスプレイマイコン５６は、右映像用コネクタ５２の接続検出端子から出力される信号がＨｉからＬｏになったことを検出したときに、右映像用ケーブル７０が右映像用コネクタ５２から外れた、つまり断線したと判断する。
【００３０】
左映像用ケーブル６０の断線を検出した場合、ディスプレイマイコン５６は、左映像用ケーブル６０の断線を示す左断線エラーコードを制御信号用コネクタ５７に出力する。この左断線エラーコードは、制御信号用バス８０を介してメインユニット４０に送信される。メインユニット４０では、制御信号用バス８０介して送られてくる左断線エラーコードを制御信号用コネクタ４８を介してメインユニットマイコン４７に入力する。
【００３１】
また、右映像用ケーブル７０の断線を検出した場合、ディスプレイマイコン５６は、右映像用ケーブル７０の断線を示す右断線エラーコードを制御信号用コネクタ５７に出力する。この右断線エラーコードは、制御信号用バス８０を介してメインユニット４０に送信される。メインユニット４０では、制御信号用バス８０介して送られてくる右断線エラーコードを制御信号用コネクタ４８を介してメインユニットマイコン４７に入力する。
【００３２】
メインユニットマイコン４７およびディスプレイマイコン５６は、エラーコードの発生の有無に応じて、またエラーコードが発生した場合にはそのエラーコードの種類に応じて、映像データ選択部４４および映像出力先選択部５３をそれぞれ制御する。メインユニットマイコン４７およびディスプレイマイコン５６は、本発明の制御部を構成する。以下に、メインユニットマイコン４７およびディスプレイマイコン５６による制御を詳しく説明する。
【００３３】
まず、左映像用ケーブル６０および右映像用ケーブル７０に断線が生じていない状態では、メインユニットマイコン４７は、映像データ選択部４４を次のような選択状態に制御する。すなわち、映像データ選択部４４は、ＤＶＤ映像データ入力部４２にて入力したＤＶＤ映像データまたはＴＶ映像データ入力部４３にて入力したテレビ映像データの何れかを選択して左映像用コネクタ４５に出力する。また、映像データ選択部４４は、ナビゲーション映像データ入力部４１にて入力したナビゲーション映像データを選択して右映像用コネクタ４６に出力する。
【００３４】
また、左映像用ケーブル６０および右映像用ケーブル７０に断線が生じていない状態において、ディスプレイマイコン５６は、映像出力先選択部５３を次のような選択状態に制御する。すなわち、映像出力先選択部５３は、左映像用コネクタ５１から入力した左用映像データ（ＤＶＤ映像データまたはＴＶ映像データ）を左用画素群５４に出力する。また、映像出力先選択部５３は、右映像用コネクタ５２から入力した右用映像データ（ナビゲーション映像データ）を右用画素群５５に出力する。以上のような選択状態に制御することにより、右観察位置側（運転者側）にナビゲーション映像が表示され、左観察位置側（同乗者側）にＤＶＤ映像またはテレビ映像が表示される。
【００３５】
次に、右映像用ケーブル７０に断線が生じた場合の選択状態を説明する。ディスプレイマイコン５６により右映像用ケーブル７０の断線が検出された場合、ディスプレイマイコン５６は、右断線エラーコードを発生し、制御信号用コネクタ５７、制御信号用バス８０および制御信号用コネクタ４８を介してメインユニットマイコン４７に送信する。
【００３６】
右断線エラーコードを受信したメインユニットマイコン４７は、断線が検出された右映像用ケーブル７０に出力していた右用映像データ（ナビゲーション映像データ）を、断線が検出されていない左映像用ケーブル６０を介してデュアルビューディスプレイ５０に供給するよう映像データ選択部４４を制御する。すなわち、映像データ選択部４４は、メインユニットマイコン４７の制御に従い、断線ケーブルである右映像用ケーブル７０に出力していたナビゲーション映像データを、左映像用コネクタ４５を介して非断線ケーブルである左映像用ケーブル６０に出力するように選択状態を切り替える。このとき映像データ選択部４４は、右映像用ケーブル７０の断線前に左映像用ケーブル６０に出力していた左用映像データの選択を停止する。
【００３７】
また、右映像用ケーブル７０の断線を検出したディスプレイマイコン５６自身は、左映像用ケーブル６０から左映像用コネクタ５１を介して入力される右用映像データ（ナビゲーション映像データ）を左用画素群５４および右用画素群５５の双方に出力するように映像出力先選択部５３を制御する。すなわち、映像出力先選択部５３は、ディスプレイマイコン５６の制御に従い、非断線ケーブルである左映像用ケーブル６０を介して供給されるナビゲーション映像データを左用画素群５４および右用画素群５５の双方に出力するように選択状態を切り替える。以上のような選択状態に制御することにより、右観察位置側（運転者側）と左観察位置側（同乗者側）との双方にナビゲーション映像が表示される。
【００３８】
最後に、左映像用ケーブル６０に断線が生じた場合の選択状態を説明する。ディスプレイマイコン５６により左映像用ケーブル６０の断線が検出された場合、ディスプレイマイコン５６は、左断線エラーコードを発生し、制御信号用コネクタ５７、制御信号用バス８０および制御信号用コネクタ４８を介してメインユニットマイコン４７に送信する。
【００３９】
左断線エラーコードを受信したメインユニットマイコン４７は、断線ケーブルである左映像用ケーブル６０に出力していた左用映像データ（ＤＶＤ映像データまたはＴＶ映像データ）の選択を停止するよう映像データ選択部４４を制御する。このとき映像データ選択部４４は、非断線ケーブルである右映像用ケーブル７０に出力していた右用映像データ（ナビゲーション映像データ）を、右映像用コネクタ４６を介して右映像用ケーブル７０に出力する選択状態を維持する。
【００４０】
また、左映像用ケーブル６０の断線を検出したディスプレイマイコン５６自身は、右映像用ケーブル７０から右映像用コネクタ５２を介して入力される右用映像データ（ナビゲーション映像データ）を左用画素群５４および右用画素群５５の双方に出力するように映像出力先選択部５３を制御する。すなわち、映像出力先選択部５３は、ディスプレイマイコン５６の制御に従い、非断線ケーブルである右映像用ケーブル７０を介して供給されるナビゲーション映像データを左用画素群５４および右用画素群５５の双方に出力するように選択状態を切り替える。以上のような選択状態に制御することにより、右観察位置側（運転者側）と左観察位置側（同乗者側）との双方にナビゲーション映像が表示される。
【００４１】
次に、上記のように構成した本実施形態によるマルチ視野表示システムの詳細な動作例を説明する。図２は、本実施形態によるマルチ視野表示システムの動作例を示すフローチャートである。図２に示すフローチャートは、マルチ視野表示システム（メインユニット４０およびデュアルビューディスプレイ５０）の電源がオンとされたときに開始する。マルチ視野表示システムの電源がオンとされたとき、少なくとも右用映像データがデュアルビューディスプレイ５０に表示されるものとする。
【００４２】
図２において、メインユニット４０の映像データ選択部４４は、ＤＶＤ映像データ入力部４２にて入力したＤＶＤ映像データまたはＴＶ映像データ入力部４３にて入力したテレビ映像データを左用映像データとして選択し、左映像用コネクタ４５を介して左映像用ケーブル６０に出力する。また、映像データ選択部４４は、ナビゲーション映像データ入力部４１にて入力したナビゲーション映像データを右用映像データとして選択し、右映像用コネクタ４６を介して右映像用ケーブル７０に出力する（ステップＳ１）。
【００４３】
また、デュアルビューディスプレイ５０の映像出力先選択部５３は、左映像用コネクタ５１から入力した左用映像データを左用画素群５４に出力するとともに、右映像用コネクタ５２から入力した右用映像データを右用画素群５５に出力する（ステップＳ２）。ステップＳ１およびステップＳ２の選択状態により、デュアルビューディスプレイ５０の画面上には、右観察位置側（運転者側）にナビゲーション映像が表示され、左観察位置側（同乗者側）にＤＶＤ映像またはテレビ映像が表示される。
【００４４】
次に、ディスプレイマイコン５６は、右映像用ケーブル７０の断線が検出されたか否か判定する（ステップＳ３）。ここで、右映像用ケーブル７０の断線が検出された場合、ディスプレイマイコン５６は、右断線エラーコードを発生し、制御信号用コネクタ５７、制御信号用バス８０および制御信号用コネクタ４８を介してメインユニットマイコン４７に送信する（ステップＳ４）。
【００４５】
映像データ選択部４４は、右断線エラーコードを受信したメインユニットマイコン４７の制御に従って、断線ケーブルである右映像用ケーブル７０に出力していたナビゲーション映像データを、非断線ケーブルである左映像用ケーブル６０に出力するように選択状態を切り替える。このとき映像データ選択部４４は、右映像用ケーブル７０の断線前に左映像用ケーブル６０に出力していた左用映像データの選択を停止する（ステップＳ５）。
【００４６】
一方、デュアルビューディスプレイ５０側では、右映像用ケーブル７０の断線を検出したディスプレイマイコン５６の制御に従って、映像出力先選択部５３が、非断線ケーブルである左映像用ケーブル６０を介して供給されるナビゲーション映像データを左用画素群５４および右用画素群５５の双方に出力するように選択状態を切り替える（ステップＳ６）。これにより、右観察位置側（運転者側）と左観察位置側（同乗者側）との双方にナビゲーション映像が表示される。
【００４７】
その後、ディスプレイマイコン５６は、右映像用ケーブル７０の断線が修復したか否かを判定する（ステップＳ８）。ここで、ディスプレイマイコン５６は、右映像用ケーブル７０の接続検出端子から出力される信号がＬｏからＨｉになったことを検出したときに、右映像用ケーブル７０の断線が修復したと判断する。一方、右映像用ケーブル７０の接続検出端子から出力される信号がＬｏのままの場合は、ディスプレイマイコン５６は、右映像用ケーブル７０の断線が修復していないと判断する。
【００４８】
右映像用ケーブル７０の断線が修復していないとディスプレイマイコン５６にて判断した場合は、ステップＳ５の処理に戻る。一方、右映像用ケーブル７０の断線が修復したとディスプレイマイコン５６にて判断した場合、ディスプレイマイコン５６は、右接続コードを発生し、制御信号用コネクタ５７、制御信号用バス８０および制御信号用コネクタ４８を介してメインユニットマイコン４７に送信する（ステップＳ８）。
【００４９】
上記ステップＳ３で右映像用ケーブル７０の断線が検出されていないと判断した場合、ディスプレイマイコン５６はさらに、左映像用ケーブル６０の断線が検出されたか否か判定する（ステップＳ９）。ここで、左映像用ケーブル６０の断線が検出された場合、ディスプレイマイコン５６は、左断線エラーコードを発生し、制御信号用コネクタ５７、制御信号用バス８０および制御信号用コネクタ４８を介してメインユニットマイコン４７に送信する（ステップＳ１０）。
【００５０】
映像データ選択部４４は、左断線エラーコードを受信したメインユニットマイコン４７の制御に従って、断線ケーブルである左映像用ケーブル６０に出力していた左用映像データの選択を停止する。このとき映像データ選択部４４は、非断線ケーブルである右映像用ケーブル７０に出力していたナビゲーション映像データを右映像用ケーブル７０に出力する選択状態を維持する（ステップＳ１１）。
【００５１】
一方、デュアルビューディスプレイ５０側では、左映像用ケーブル６０の断線を検出したディスプレイマイコン５６の制御に従って、映像出力先選択部５３が、右映像用ケーブル７０から右映像用コネクタ５２を介して供給されるナビゲーション映像データを左用画素群５４および右用画素群５５の双方に出力するように選択状態を切り替える（ステップＳ１２）。これにより、右観察位置側（運転者側）と左観察位置側（同乗者側）との双方にナビゲーション映像が表示される。
【００５２】
その後、ディスプレイマイコン５６は、左映像用ケーブル６０の断線が修復したか否かを判定する（ステップＳ１３）。ここで、ディスプレイマイコン５６は、左映像用ケーブル６０の接続検出端子から出力される信号がＬｏからＨｉになったことを検出したときに、左映像用ケーブル６０の断線が修復したと判断する。一方、左映像用ケーブル６０の接続検出端子から出力される信号がＬｏのままの場合は、ディスプレイマイコン５６は、左映像用ケーブル６０の断線が修復していないと判断する。
【００５３】
左映像用ケーブル６０の断線が修復していないとディスプレイマイコン５６にて判断した場合は、ステップＳ１１の処理に戻る。一方、左映像用ケーブル６０の断線が修復したとディスプレイマイコン５６にて判断した場合、ディスプレイマイコン５６は、左接続コードを発生し、制御信号用コネクタ５７、制御信号用バス８０および制御信号用コネクタ４８を介してメインユニットマイコン４７に送信する（ステップＳ１４）。
【００５４】
ステップＳ８またはステップＳ１４の処理が終わった後、および上記ステップＳ９で左映像用ケーブル６０の断線も検出されていないと判断した場合、メインユニット４０は、マルチ視野表示システムの電源がオフとされたか否かを判定する（ステップＳ１５）。ここで、電源がオフにされていない場合は、ステップＳ１の処理に戻る。ステップＳ１の処理に戻った場合、映像データ選択部４４および映像出力先選択部５３は、右接続コードまたは左接続コードを受信したメインユニットマイコン４７およびディスプレイマイコン５６の制御に従って、通常の選択状態に切り替える。一方、ステップＳ１５で電源がオフにされたと判断された場合は、本フローチャートの処理を終了する。
【００５５】
以上詳しく説明したように、本実施形態では、右映像用ケーブル７０の断線が検出された場合、断線するまで右映像用ケーブル７０に出力していたナビゲーション映像データを非断線ケーブルである左映像用ケーブル６０に出力するよう、映像データ選択部４４が映像データの選択状態を切り替える。そして、左映像用ケーブル６０を介してデュアルビューディスプレイ５０に供給されたナビゲーション映像データを左用画素群５４および右用画素群５５の双方に出力するよう、映像出力先選択部５３が映像データの出力先を切り替える。
【００５６】
このように構成した本実施形態によれば、右映像用ケーブル７０に断線が生じた場合であっても、それまで右映像用ケーブル７０を介してメインユニット４０からデュアルビューディスプレイ５０に供給されていたナビゲーション映像データが、新たに左映像用ケーブル６０を介してデュアルビューディスプレイ５０に供給される。そして、それまで右映像用ケーブル７０からの映像データの出力先に選択されていた右用画素群５５に対しても、左映像用ケーブル６０を介して供給されたナビゲーション映像データが新たに出力されるようになる。これにより、右映像用ケーブル７０に断線が生じた側の観察位置向け（運転席側）にケーブル断線前と同じナビゲーション映像を表示し続けることができる。
【００５７】
なお、本実施形態では、左映像用ケーブル６０の断線が検出された場合には、通常通りメインユニット４０から右映像用ケーブル７０を介してデュアルビューディスプレイ５０に供給されたナビゲーション映像データを左用画素群５４および右用画素群５５の双方に出力するよう、映像出力先選択部５３が映像データの出力先を切り替えるようにしている。このようにすれば、左映像用ケーブル６０に断線が生じた場合には、助手席側の画面が真っ黒になる代わりに、ナビゲーション映像データを表示することができる。
【００５８】
左映像用ケーブル６０が断線した場合に、断線するまで左映像用ケーブル６０に出力していた左用映像データ（ＤＶＤ映像データまたはテレビ映像データ）を非断線ケーブルである右映像用ケーブル７０に出力するようにしても良いが、そうすると、運転席側に表示される映像がナビゲーション映像からＤＶＤ映像またはテレビ映像に変わってしまう。運転席側にはナビゲーション映像を表示する要求が高いことを考慮すれば、ナビゲーション映像データを右映像用ケーブル７０からデュアルビューディスプレイ５０に供給して左用画素群５４および右用画素群５５の双方に出力するようにした上記実施形態が好ましい。
【００５９】
なお、上記実施形態では、ディスプレイマイコン５６において左映像用ケーブル６０および右映像用ケーブル７０の断線を検出する例について説明したが、右映像用ケーブル７０の断線だけを検出するようにしても良い。この場合、左映像用ケーブル６０が断線しても何ら選択状態の切り替え制御が行われないので、助手席側の画面は真っ黒になる。ただし、少なくとも右映像用ケーブル７０が断線した場合には、運転席側の画面にはケーブル断線前と同じナビゲーション映像を表示し続けることができる。
【００６０】
また、上記実施形態では、デュアルビューディスプレイ５０のコネクタ５１，５２からケーブル６０，７０が外れる断線をディスプレイマイコン５６において検出する例について説明したが、本発明はこれに限定されない。例えば、メインユニット４０のコネクタ４５，４６からケーブル６０，７０が外れる断線をメインユニットマイコン４７において検出するようにしても良い。または、メインユニット４０側での断線とデュアルビューディスプレイ５０側での断線との両方を検出するようにしても良い。
【００６１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００６２】
４０  メインユニット（制御装置）
４４  映像データ選択部
４７  メインユニットマイコン（制御部）
５０  デュアルビューディスプレイ（表示装置）
５３  映像出力先選択部
５４  左用画素群
５５  右用画素群
５６  ディスプレイマイコン（断線検出部、制御部）
【図１】
2010204147.tif 000003
【図２】
2010204147.tif 000004
【図３】
2010204147.tif 000005
【図４】
2010204147.tif 000006